(57)【要約】【課題】  透明容器体の相対向する壁部分間に発生する光学作用を、装飾に利用することにより、立体感に富み、かつ動きの有る光学的装飾を得ることを目的とする。【解決手段】  透明な有底筒形状体の前後に対向した胴筒壁２部分に、表示壁部３と投影壁部４とを、中心軸心を対称軸として軸対称に配置し、表示壁部および投影壁部を、外側の平坦壁面５と、内側の、円弧面を有する円弧柱壁面６とで構成し、表示壁部３の表示１０を、投影壁部４に、立体感および動きのある投影像１１として投影して、光学的装飾を得る。【選択図】図８
2008114893.tif 000002
【特許請求の範囲】
【請求項１】
透明な有底筒形状体の前後に対向した胴筒壁部分に、縦長な表示壁部と投影壁部とを、中心軸心を対称軸として軸対称に配置し、前記表示壁部および投影壁部を、外側の平坦壁面と、内側の、所望曲率半径の円弧面を有する円弧柱壁面とで構成し、前記表示壁部の平坦壁面に表示を施した透明容器体。
【請求項２】
胴筒壁を、前後に偏平な長円筒形状とし、表示壁部および投影壁部を、前記胴筒壁の前壁部分および後壁部分の中央に形成した請求項１記載の透明容器体。
【請求項３】
表示壁部および投影壁部の円弧柱壁面の曲率半径を、該円弧柱壁面が発揮するレンズ作用の焦点が、胴筒壁の中心軸心上に位置する値に設定した請求項１または２記載の透明容器体。
【請求項４】
平坦壁面の周囲に、該平坦壁面に向って陥没する傾斜周壁面を形成した請求項１〜３のいずれか１項記載の透明容器体。
【請求項５】
胴筒壁内に、二つの同じ大きさの縦長な不透明内容器体を、並列に挿入固定し、前記両内容器体間に形成される隙間を、表示壁部および投影壁部に前後から対向させた請求項３または４記載の透明容器体。
【発明の詳細な説明】
【技術分野】
【０００１】
本発明は、透明体が発揮する光学作用を、装飾手段として利用するように構成した透明容器体に関するものである。
【背景技術】
【０００２】
透明体が発揮する光学作用を、装飾手段として利用したものとして、透明内容液を収納した透明体（ボトル）の表面に施した表示（装飾）を、透明体および透明内容液を介して透視することにより、透明体および透明内容液の光学作用により、表示が、拡大したり歪んだり、さらには反転した投影像として観察されるようにし、これにより変化に富んで面白みのある表示の装飾効果を得るようにしたものがある。
【特許文献１】特開２００５−２６６７３０号公報
【０００３】
この上記した従来技術にあっては、透明体および透明内容液を透過して観察される表示の投影像が、透明体および透明内容液（特に、透明内容液）の発揮する光学作用により変化することを利用するものであるので、装飾効果が奥行きのあるものとなり、また観察位置の変化に従って、投影像の大きさや歪み程度が変化し、これにより動きのある装飾効果を得ることができるものとなっている。
【発明の開示】
【発明が解決しようとする課題】
【０００４】
しかしながら、上記従来技術にあっては、透明内容液を収納した透明容器全体の、肉厚変化を利用して光学作用を発揮させるものであるので、光学作用の発揮される部分を特定することができず、このため表示を一定した形態の投影像として現出させることができない、と云う問題があった。
【０００５】
また、透明内容液を収納した透明容器全体で光学作用を発揮させるものであるので、透明容器が円形ボトルである場合、容器胴部の中央部分で適正に結像を得ることができず、このため装飾効果を発揮することのできる投影像として観察することができるのは、容器胴部の両側端部分だけとなり、投影像を、装飾に好ましい姿で現出させることができない、と云う問題があった。
【０００６】
そこで、本発明は、上記した従来技術における問題点を解消すべく創案されたもので、透明容器体の相対向する壁部分間に発生する光学作用を、装飾に利用することを技術的課題とし、もって立体感に富み、かつ動きの有る光学的装飾を得ることを目的とする。
【課題を解決するための手段】
【０００７】
本発明の透明容器体は、透明な有底筒形状体であって、この有底筒形状体の前後に対向した胴筒壁部分の内、前側胴筒壁部分に、縦長な表示壁部を、反対に後側胴筒壁部分に、縦長な投影壁部を、それぞれ形成して構成されている。
【０００８】
表示壁部と投影壁部とは、胴筒壁の仮想される中心軸心を対称軸として軸対称に位置しており、また表示壁部と投影壁部とのそれぞれは、外側面を形成する平坦壁面と、内側面を形成する、所望曲率半径の円弧面を有する円弧柱壁面とで構成されている。
【０００９】
表示壁部の外表面である平坦壁面には、商品名を示すとか、装飾のための模様を描く表示が施されている。
【００１０】
表示壁部の平坦壁面に施された表示は、表示壁部の円弧柱壁面側から見ると、左右が反転した像として観察されることになるが、この反転した像は、表示壁部の円弧柱壁面のレンズ作用を受けて投影壁部に投影されることになる。
【００１１】
表示壁面側から投影壁部側に投影された像は、投影壁部の円弧柱壁面のレンズ作用を受けて投影壁部の平坦壁面に投影され、この投影像が容器体の後側から観察される。
【００１２】
この投影壁部の平坦壁面に投影されて観察される投影像は、表示壁部および投影壁部の円弧柱壁面のレンズ作用の影響を受けたものであるので、表示の左右が反転した像が、拡大したり、反転したり、さらには部分的に歪んだものとして投影されたものとなる。
【００１３】
この表示の左右が反転した像の拡大、反転、さらに歪みは、投影像に対する視線の角度の変化に従って変化するので、この変化が、投影像に動きのある変化を与えることになる。
【００１４】
このため、投影壁部の平坦壁面に投影された投影像は、レンズ作用による光学的効果により深みのある立体感に富んだものとなると共に、視線の変化により動きを伴って変化することになる。
【００１５】
また、表示に対してレンズ作用を及ぼすのは、球弧面ではなく円柱弧面を有する円柱弧壁面であるので、表示は左右方向にレンズ作用を受けるだけで、縦方向にはレンズ作用を受けることがない。
【００１６】
本発明の別の構成は、胴筒壁を、前後に偏平な長円筒形状とし、表示壁部および投影壁部を、前記胴筒壁の前壁部分および後壁部分の中央に形成した、ものである。
【００１７】
表示壁部および投影壁部を、長円筒形状の胴筒壁の前壁部分および後壁部分の中央に形成したものにあっては、投影像を胴筒壁の後壁部分の中央に現出させることができるので、この投影像を目立つ状態で現出させることができる。
【００１８】
また、本発明の別の構成は、表示壁部および投影壁部の円弧柱壁面の曲率半径を、該円弧柱壁面が発揮するレンズ作用の焦点が、胴筒壁の中心軸心上に位置する値に設定した、ものである。
【００１９】
表示の左右が反転した像の焦点を、胴筒壁の中心軸心上に位置させたものにあっては、表示の左右が反転した像が、両円弧柱壁面が発揮するレンズ作用により左右が反転して、投影壁部の平坦壁面に投影されるので、得られる投影像は、表示と同じ姿勢で現出されることになる。
【００２０】
また、本発明の別の構成は、平坦壁面の周囲に、この平坦壁面に向って陥没する傾斜周壁面を形成した、ものである。
【００２１】
平坦壁面の周囲に傾斜周壁面を形成したものにあっては、傾斜周壁面により平坦壁面が明確に区画形成されることになり、これにより特に投影壁部側にあっては、この明確に区画形成された平坦壁面に投影された投影像が、強調された状態で現出される。
【００２２】
また、本発明の別の構成は、胴筒壁内に、二つの同じ大きさの縦長な不透明内容器体を、並列に挿入固定し、両内容器体間に形成される隙間を、表示壁部および投影壁部に前後から対向させた、ものである。
【００２３】
円柱弧壁面のレンズ作用の焦点位置を胴筒壁の中心軸心上に位置させ、並列に挿入固定した不透明内容器体間の隙間を表示壁部および投影壁部に対向させたものにあっては、両不透明内容器体間の隙間が、表示壁部の平坦壁面に施された表示の横幅よりも小さくても、表示は、その一部が欠けることなく、全体が投影像として投影壁部の平坦壁面に投影される。
【発明の効果】
【００２４】
本発明は、上記した構成となっているので、以下に示す効果を奏する。
本発明の透明容器体にあっては、表示壁部に施された表示が投影された投影壁部の投影像は、表示の左右が反転した像が、拡大したり、反転したり、さらには部分的に歪んだものとなり、この像の拡大、反転、さらに歪みは、投影像に対する視線の角度の変化に従って変化するので、投影像は、立体感と動きに富んだ新規な装飾効果を現出することになる。
【００２５】
また、表示は、縦方向にはレンズ作用を受けることなく、投影像として投影されるので、表示が投影される高さ範囲を正確に設定することができ、これにより表示の全高さ範囲を、投影像として現出させ、投影像が、表示の高い再現性を発揮することになる。
【００２６】
表示壁部および投影壁部を、長円筒形状の胴筒壁の前壁部分および後壁部分の中央に形成したものにあっては、投影像を胴筒壁の後壁部分の中央に現出させることができるので、この投影像を目立つ状態で現出させることができ、これにより投影像による高い装飾効果をえることができる。
【００２７】
平坦壁面の周囲に傾斜周壁面を形成したものにあっては、投影壁部の平坦壁面に投影された投影像が、強調された状態で現出されるので、投影像による高い装飾効果を得ることができる。
【００２８】
円柱弧壁面のレンズ作用の焦点位置を胴筒壁の中心軸心上に位置させ、並列に挿入固定した不透明内容器体間の隙間を表示壁部および投影壁部に対向させたものにあっては、両不透明内容器体間の隙間が、表示壁部の平坦壁面に施された表示の横幅よりも小さくても、表示は、その一部が欠けることなく、全体が投影像として投影壁部の平坦壁面に投影されるので、あたかも両不透明内容器体間に大きな空間が形成され、この空間に投影像が位置することになり、これにより投影像が浮き上がったように観察され、その分、奥行きのある装飾となる。
【発明を実施するための最良の形態】
【００２９】
以下、本発明の実施形態例を、図面を参照しながら説明する。
【００３０】
図１〜図８は、本発明による透明容器体１の一実施形態例を示すもので、前後に扁平となった長円筒形状の胴筒壁２（図３参照）の下端を、連設した底壁９で閉鎖（図１参照）し、胴筒壁２の上端に、段部を介して外径を縮径した構成で、口筒壁８を起立連設（図１参照）し、全体が、透明なスチレンアクリロニトリル共重合体の一体成形物となっている。
【００３１】
胴筒壁２の前後壁の中央部分の略全域と、口筒壁８の前後壁の中央部分とにかけての部分には、前壁側に表示壁部３が、そして後壁側に投影壁部４（図１参照）が、互いに前後に対向して、胴筒壁２の仮想される中心軸心を対称軸として軸対称（図８参照）に配置形成されている。
【００３２】
この表示壁部３と投影壁部４（図４、図５参照）とは、軸対称に同じ構造となっており、外側の、縦長の平坦壁面５と、内側の、所望曲率半径で膨出した、縦長の円弧柱壁面６とから構成され、平坦壁面５の周囲には、平坦壁面５を、周囲の壁面から明確に区画して視覚させることになる傾斜周壁面７（図６、図７参照）が形成されている。
【００３３】
傾斜周壁面７は、平坦壁面５との境界部に角部（谷折り角部）（図５参照）を形成することになり、この角部を境とした透過光線の屈折の違いにより、平坦壁面５と傾斜周壁面７とが明確に区分けされた状態で視覚されるので、平坦壁面５に描かれた表示１０および結像された投影像１１が、明確に観察されることになる。
【００３４】
円弧柱壁面６を形成する円弧柱片状に膨出した部分は、胴筒壁２と口筒壁８との一体物の内周面全高さ範囲に亘って、連続した円弧柱片状に成形（図４参照）されており、容器体１の射出成形金型からの型抜きを可能とするために、その下端を底壁９に連続させている。
【００３５】
円弧柱壁面６は、透過光線に対してレンズ作用を発揮することになるが、この円弧柱壁面６が発揮するレンズ作用の焦点は、胴筒壁２の仮想される中心軸心上に位置するように設定されている（図８参照）。
【００３６】
このように、円弧柱壁面６のレンズ作用の焦点を、胴筒壁２の仮想される中心軸心上に位置させると（以下、図８参照）、表示壁部３の平坦壁面５に施された表示１０の内側から見た透視像（この透視像は、表示１０の左右を反転したものとなる）は、投影壁部４の平坦壁面５に、その左右を反転させた姿勢で、かつ同じ大きさで、投影像１１として投影されることになる。
【００３７】
それゆえ、投影壁部４の平坦壁面５に結像される投影像１１は、その姿勢および大きさが表示１０と、全く同じとなる（図６ないし図８参照）。
【００３８】
図９ないし図１１は、図１ないし図８に示した容器体１の実施例に、不透明な内容器体１２である、大きさおよび形状が同じとなったエアゾール容器を、並列に隣接挿入組付けしたもので、両内容器体１２は、口筒壁８にアンダーカット結合される肩カバー１６により不動に固定され、両内容器体１２の上端には、両内容器体１２から噴出された内容物を合流させて、ノズル口１４から噴射するノズルヘッド１３が連結結合されており、このノズルヘッド１４は押圧操作部を形成しており、肩カバー１６には、ノズルヘッド１４を覆うオーバーキャップ１５が着脱自在に組付けられている。
【００３９】
この容器体１内に挿入組付けされた両内容器体１２間には、容器体１の表示壁部３および投影壁部４に前後から対向して、幅の狭い隙間Ｓが形成されている。
【００４０】
この隙間Ｓは、容器体１の表示壁部３から投影壁部４への投影光線の通過空間を形成すればよく、その幅は、表示１０の横幅よりも小さくてもよい。
【００４１】
すなわち、表示１０の投影光線は、図８に示すように、胴筒壁２の中心軸心上に位置する焦点に集束してから、投影壁部４の平坦壁面５に投影像１１として結像するので、隙間Ｓに胴筒壁２の中心軸心が位置していれば、この隙間Ｓの大小に関わりなく、投影像１１が得られることになる。
【００４２】
図１０および図１１に示した実施例の場合、表示１０は、その横幅が隙間Ｓの幅よりも大きくなっているが、得られる投影像１１は、左右端部が欠けることなく、表示１０の全体が結像されて形成される。
【００４３】
このことは、幅の大小に関係なく、隙間Ｓさえあれば、大きな横幅を有する投影像１１を得ることができることを意味しており、これを利用することにより、明確で目立つ投影像１１による装飾を得ることが可能となる。
【産業上の利用可能性】
【００４４】
本発明は、以上説明したように、透明物体の相対向した壁に、相互に光学的に結合された部分を形成したものであるので、装飾に限ることなく、透明物体の一方側から他方側への影像情報の伝達に、利用することができる。
【図面の簡単な説明】
【００４５】
【図１】は、本発明の一実施形態例の、半縦断した全体前面図である。
【図２】は、図１図示実施形態例の、側面図である。
【図３】は、図１図示実施形態例の、平面図である。
【図４】は、図３中、Ｂ−Ｂ線に沿って切断矢視した、縦断面図である。
【図５】は、図１中、Ａ−Ａ線に沿って切断矢視した、平断面図である。
【図６】は、図１図示実施形態例の、表示を施した前面図である。
【図７】は、図１図示実施形態例の、投影像が現出した後面図である。
【図８】は、表示の投影動作を説明する、平断面図である。
【図９】は、図１図示実施形態例に内容器体を挿入した、縦断前面図である。
【図１０】は、図９図示実施形態例の、全体前面図である。
【図１１】は、図９図示実施形態例の、全体後面図である。
【符号の説明】
【００４６】
１  ；  容器体
２  ；  胴筒壁
３  ；  表示壁部
４  ；  投影壁部
５  ；  平坦壁面
６  ；  円弧柱壁面
７  ；  傾斜周壁面
８  ；  口筒壁
９  ；  底壁
１０；  表示
１１；  投影像
１２；  内容器体
１３；  ノズルヘッド
１４；  ノズル口
１５；  オーバーキャップ
１６；  肩カバー
Ｓ  ；  隙間
【図１】
2008114893.tif 000003
【図２】
2008114893.tif 000004
【図３】
2008114893.tif 000005
【図４】
2008114893.tif 000006
【図５】
2008114893.tif 000007
【図６】
2008114893.tif 000008
【図７】
2008114893.tif 000009
【図８】
2008114893.tif 000010
【図９】
2008114893.tif 000011
【図１０】
2008114893.tif 000012
【図１１】
2008114893.tif 000013